(57)【要約】　【課題】　光学ヘッド全高を大幅に低減して、小型・薄型の光学ヘッドおよびディスク記録再生装置を実現する。  【解決手段】　集積ユニット７を光学台１６に固定するとともに、対物レンズ駆動装置１３をラジアル方向（Ｘ方向）およびタンジェンシャル方向（Ｙ方向）に平面調整することにより、光学ヘッドのフォーカス誤差信号およびトラッキング誤差信号調整時における半導体レーザと対物レンズと多分割光検出器との相対位置調整および光軸調整を行う。【選択図】　図１
2004047106.tif 000002
【特許請求の範囲】
【請求項１】
　光源と、
　円盤状情報記録媒体からの反射光を受光する受光素子と、
　前記円盤状情報記録媒体へ光を集光する対物レンズと、
　前記対物レンズを保持し前記円盤状情報記録媒体のフォーカスおよびラジアル方向に前記対物レンズを駆動する対物レンズ駆動装置と、
　前記光源および前記受光素子を固定する光学台と
　を備えた備えたディスク記録再生装置の製造方法であって、
　前記光学台に前記光源および前記受光素子を固定した状態で、前記受光素子で検出した信号量に応じて、前記対物レンズ駆動装置を前記対物レンズに入射する光束の光軸と略直交する平面内で移動した後、前記光学台と接着することにより、前記円盤状情報記録媒体からの反射光により所望の検出信号を得るための、前記光源と前記対物レンズと前記受光素子の相対位置調整を行うことを特徴とするディスク記録再生装置の製造方法。
【請求項２】
　光源と、
　円盤状情報記録媒体からの反射光を受光する受光素子と、
　前記円盤状情報記録媒体へ光を集光する対物レンズと、
　前記対物レンズを保持し前記円盤状情報記録媒体のフォーカスおよびラジアル方向に前記対物レンズを駆動する対物レンズ駆動装置と、
　前記光源と前記対物レンズ駆動装置との間に位置するミラーと、
　前記光源、前記受光素子、および前記ミラーを固定する光学台と
　を備えた備えたディスク記録再生装置の製造方法であって、
　前記光学台に前記光源および前記受光素子を固定した状態で、前記受光素子で検出した信号量に応じて、前記ミラーを前記対物レンズに入射する光束の光軸と略直交する平面内で移動した後、前記光学台と接着することにより、前記円盤状情報記録媒体からの反射光により所望の検出信号を得るための、前記光源と前記対物レンズと前記受光素子と前記ミラーの相対位置調整を行うことを特徴とするディスク記録再生装置の製造方法。
【請求項３】
　光源と、
　円盤状情報記録媒体からの反射光を受光する受光素子と、
　前記円盤状情報記録媒体へ光を集光する対物レンズと、
　前記対物レンズを保持し前記円盤状情報記録媒体のフォーカスおよびラジアル方向に前記対物レンズを駆動する対物レンズ駆動装置と、
　前記光源と前記対物レンズ駆動装置との間に位置するミラーと、
　前記光源、前記受光素子、および前記ミラーを固定する光学台と
　を備えた備えたディスク記録再生装置の製造方法であって、
　前記光学台に前記光源および前記受光素子を固定した状態で、前記受光素子で検出した信号量に応じて、前記ミラーをラジアル方向およびタンジェンシャル方向にそれぞれスキュー調整および／または光軸方向へ平行移動した後、前記光学台と接着することにより、前記円盤状情報記録媒体からの反射光により所望の検出信号を得るための、前記光源と前記対物レンズと前記受光素子と前記ミラーの相対位置調整を行うことを特徴とするディスク記録再生装置の製造方法。
【請求項４】
　前記受光素子の２つのトラッキング誤差信号受光領域で検出された検出信号が略均一となるように、前記相対位置調整を行うことを特徴とする請求項１〜３のいずれかに記載のディスク記録再生装置の製造方法。
【請求項５】
　前記光源と前記受光素子とが一体化され集積ユニットを構成することを特徴とする請求項１〜３のいずれかに記載のディスク記録再生装置の製造方法。
【請求項６】
　前記円盤状情報記録媒体のラジアル方向および／またはタンジェンシャル方向に前記対物レンズ駆動装置を移動することを特徴とする請求項１に記載のディスク記録再生装置の製造方法。
【請求項７】
　更に、前記円盤状情報記録媒体と前記対物レンズとの相対角度を調整するための前記対物レンズ駆動装置のスキュー調整を行った後、前記対物レンズ駆動装置を前記光学台と接着することを特徴とする請求項１〜３のいずれかに記載のディスク記録再生装置の製造方法。
【請求項８】
　更に、前記対物レンズの入射光軸方向の前記対物レンズ駆動装置の位置調整を行った後、前記対物レンズ駆動装置を前記光学台と接着することを特徴とする請求項１〜３のいずれかに記載のディスク記録再生装置の製造方法。
【請求項９】
　前記対物レンズの略中心部を回転中心として、前記対物レンズに入射する光束の光軸と略直交する平面内で前記対物レンズまたは前記対物レンズ駆動装置の回転調整を行うことを特徴とする請求項１〜３のいずれかに記載のディスク記録再生装置の製造方法。
【請求項１０】
　前記検出信号がトラッキングエラー信号またはフォーカスエラー信号であることを特徴とする請求項１〜３のいずれかに記載のディスク記録再生装置の製造方法。
【発明の詳細な説明】
【技術分野】
【０００１】
　本発明は、ディスク状記録媒体に光スポットを投影して光学的に情報を記録再生するディスク記録再生装置の製造方法に関するものである。
【背景技術】
【０００２】
　近年、ディスク記録再生装置は、ＤＶＤ・ＭＤ・ＣＤ・ＣＤ−ＲＯＭ用などその用途は年々多様化すると共に益々高密度・小型・高性能・高品質・高付加価値化している。特に記録可能な光磁気メディアを利用したディスク記録再生装置においては、データ用・映像記録用の需要は大きく増加傾向にあり、より一層の小型・薄型・高性能・高記録密度化が求められている。
【０００３】
　従来、光磁気ディスク用光学ヘッドに関する技術としては、数多くの報告がなされている。
【０００４】
　以下、図面を参照しながら、従来のディスク記録再生装置の一例として、光磁気ディスク用の光学ヘッドを説明する。
【０００５】
　図１０、図１１、図１２および図１３は従来の光学ヘッドの概略的な構成図およびその動作原理を説明する図である。
【０００６】
　図１０、１１、図１２および図１３において、１はシリコン基板、２はシリコン基板１上に固定された半導体レーザ、３はシリコン基板１上に形成された多分割光検出器、４は樹脂パッケージ、５は樹脂で成形されたホログラム素子（回折格子）、６はビームスプリッタ６ａ、折り返しミラー６ｂ、偏光分離素子６ｃより構成された複合素子、８はシリコン基板１、半導体レーザ２、多分割光検出器３、パッケージ４、回折格子５、複合素子６より構成される集積ユニット７を保持するホルダ、９は反射ミラー、１０は対物レンズホルダー１１に固定された対物レンズ、１２は磁気光学効果を有する光磁気記録媒体、１３は対物レンズを光磁気記録媒体１２のフォーカスおよびラジアル方向に駆動する対物レンズ駆動装置、１４は対物レンズ駆動装置１３の構成要素となるベース、１５はアオリネジ、１６は光学台、１７は多分割光検出機３上に形成されたフォーカス誤差信号検出用の光スポット、１８は多分割光検出機３上に形成されたトラッキング誤差信号検出用の光スポット、１９は多分割光検出器３上に形成されるメインビーム（Ｐ偏光）、２０は多分割光検出器３上に形成されるメインビーム（Ｓ偏光）、２１はフォーカス誤差信号受光領域、２２および２３はトラッキング誤差信号受光領域、２４は情報信号受光領域、２５は減算器、２６は加算器、２７および２８はフォーカス誤差信号検出用の光スポットの焦点である。
【０００７】
　以上のように構成された従来例について以下その動作について説明を行う。
【０００８】
　半導体レーザ２より発せられた光は、ホログラム素子５により異なる複数の光束に分離される。異なる複数の光束は複合素子６のビームスプリッタ６ａを透過し、反射ミラー９で反射され対物レンズホルダー１１に固定された対物レンズ１０により、光磁気記録媒体１２上に直径１ミクロン程度の光スポット３０として集光される。
【０００９】
　また複合素子６のビームスプリッタ６ａにより反射された光束はレーザモニタ用受光素子（図示せず）に入射し半導体レーザ２の駆動電流を制御する。
【００１０】
　光磁気記録媒体１２からの反射光は、逆の経路をたどり、複合素子６のビームスプリッタ６ａにより反射分離されて、折り返しミラー６ｂ、偏光分離素子６ｃに入射する。
【００１１】
　半導体レーザ２は、図１１（Ａ）において紙面に平行な偏光方向となるよう設置されており、入射光は偏光分離素子６ｃにより、偏光方向を４５度回転させるとともに互いに直交する２つの偏光成分の光束に分離され、情報信号受光領域２４に入射する。
【００１２】
また情報記録媒体１２からの反射光のうちビームスプリッタ６ａを透過した光束は回折格子５により複数の光束に分離されフォーカス誤差信号受光領域２１とトラッキング誤差信号受光領域２２および２３へ集光する。
【００１３】
　フォーカスサーボはいわゆるＳＳＤ法で行い、トラッキングサーボはいわゆるプッシュプル法で行う。
【００１４】
　さらに、Ｐ偏光からなるメインビーム１９とＳ偏光からなるメインビーム２０の差を取ることにより、差動検出法による光磁気ディスク情報信号の検出が可能となる。さらに、それらの和をとることにより、プレピット信号の検出が可能となる。
【００１５】
反射ミラー９は光学台１６に固定され、集積ユニット７はホルダ８に接着固定され、光学台１６の端面に固定される。
【００１６】
　以上のように構成されるディスク記録再生装置において、光磁気記録媒体からの反射光により所望の検出信号を得るために、組立時に半導体レーザ２と対物レンズ１０と多分割光検出器３の相対位置調整が行われる。
【００１７】
　これらの相対位置調整に関して、上記の従来の装置においては、多分割光検出器３のＺ’軸方向（光軸方向）の位置は、受光面が光スポットの焦点２７および２８の略中間に位置するように光学台１６とホルダ８との寸法を規定することにより一義的に決定される。また、フォーカス誤差信号およびトラッキング誤差信号の調整は、外部治具によりホルダー８を保持し、集積ユニット７をＸ方向およびＹ方向に移動することにより、トラッキング誤差信号受光領域２２および２３の出力が略均一となるように調整される。
【００１８】
一方、光磁気記録媒体１２と対物レンズ１０との相対傾き調整は、アオリネジ１５を回転させ、対物レンズ駆動装置１３の構成部品であるベース１４の球面摺動部と光学台１６の球面摺動部とを接触させベース１４を回動させるいわゆる球面アオリにより実施する。この時の回転中心は対物レンズ１０の主点１０ａとする。図１０、図１３においてθＲはラジアル方向のスキュー調整をまたθＴはタンジェンシャル方向のスキュー調整を示す。
【発明の開示】
【発明が解決しようとする課題】
【００１９】
しかしながら上記の従来の構成では、半導体レーザ２と対物レンズ１０と多分割光検出器３の相対位置調整を、集積ユニット７を保持するホルダー８をＸ軸方向及びＹ軸方向に移動することにより行っていたので、その調整しろを予め確保しておく必要がある。特にＹ軸方向への調整しろはそのまま光学ヘッドの全高（光磁気記録媒体の厚み方向の高さ）の増加を招く。
【００２０】
　また、集積ユニット７は小さいためにこれを単独で位置調整することは困難であり、集積ユニット７を保持するホルダー８を介して位置調整することが必要である。このため、ホルダー８のＹ軸方向の肉厚の分も光学ヘッド全高の増加になる。
【００２１】
　従って、従来の構成で半導体レーザ２と対物レンズ１０と多分割光検出器３の相対位置調整を行う限り、光学ヘッドおよびディスク記録再生装置の小型化、薄型化が困難になるという問題を有していた。
【００２２】
　本発明は上記従来の問題点に鑑み、集積ユニット７を光学台１６に直接固定してホルダー８を廃止するとともに、光学台１６およびベース１４の球面摺動部を廃止する構成とすることにより、光学ヘッド全高を大幅に低減して、小型・薄型のディスク記録再生装置を実現することができるディスク記録再生装置の製造方法を提供することを目的とする。
【課題を解決するための手段】
【００２３】
　本発明は、上記の目的を達成するために以下の構成とする。
【００２４】
　即ち、本発明の第１の構成にかかるディスク記録再生装置の製造方法は、光源と、円盤状情報記録媒体からの反射光を受光する受光素子と、前記円盤状情報記録媒体へ光を集光する対物レンズと、前記対物レンズを保持し前記円盤状情報記録媒体のフォーカスおよびラジアル方向に前記対物レンズを駆動する対物レンズ駆動装置と、前記光源および前記受光素子を固定する光学台とを備えた備えたディスク記録再生装置の製造方法であって、前記光学台に前記光源および前記受光素子を固定した状態で、前記受光素子で検出した信号量に応じて、前記対物レンズ駆動装置を前記対物レンズに入射する光束の光軸と略直交する平面内で移動した後、前記光学台と接着することにより、前記円盤状情報記録媒体からの反射光により所望の検出信号を得るための、前記光源と前記対物レンズと前記受光素子の相対位置調整を行うことを特徴とする。
【００２５】
　また、本発明の第２の構成にかかるディスク記録再生装置の製造方法は、光源と、円盤状情報記録媒体からの反射光を受光する受光素子と、前記円盤状情報記録媒体へ光を集光する対物レンズと、前記対物レンズを保持し前記円盤状情報記録媒体のフォーカスおよびラジアル方向に前記対物レンズを駆動する対物レンズ駆動装置と、前記光源と前記対物レンズ駆動装置との間に位置するミラーと、前記光源、前記受光素子、および前記ミラーを固定する光学台とを備えた備えたディスク記録再生装置の製造方法であって、前記光学台に前記光源および前記受光素子を固定した状態で、前記受光素子で検出した信号量に応じて、前記ミラーを前記対物レンズに入射する光束の光軸と略直交する平面内で移動した後、前記光学台と接着することにより、前記円盤状情報記録媒体からの反射光により所望の検出信号を得るための、前記光源と前記対物レンズと前記受光素子と前記ミラーの相対位置調整を行うことを特徴とする。
【発明の効果】
【００２６】
本発明によれば、フォーカス誤差信号およびトラッキング誤差信号調整時における半導体レーザと対物レンズと受光素子との相対位置調整および光軸調整を、対物レンズに入射する光軸と略直行する平面内での対物レンズの平面調整で実現することにより、集積ユニットの高さ方向の調整しろとこれを保持するホルダーが不用となルので、光学ヘッドおよびディスク記録再生装置の小型、薄型化を実現できる。
【発明を実施するための最良の形態】
【００２７】
　上記の第１及び第２の構成によれば、円盤状情報記録媒体からの反射光により所望の検出信号を得るための、光源と対物レンズと受光素子の相対位置調整を、対物レンズ駆動装置及び必要によりミラーを移動することにより行われるので、従来のように集積ユニットを移動して位置調整する必要がなくなる。この結果、集積ユニットの調整しろを予め確保しておく必要がない。また、従来の装置では集積ユニットを位置調整する際に必要であった集積ユニットを保持するホルダーが不要となる。これらにより、光学ヘッドの全高を小さくすることができ、光学ヘッド及びディスク記録再生装置を小型化、薄型化することが可能になる。
【００２８】
　上記の第１及び第２の構成において、前記対物レンズ駆動装置の移動による相対位置調整が、前記対物レンズに入射する光軸と略直行する平面内での前記対物レンズ駆動装置の位置調整を含むことが好ましい。特に、前記対物レンズ駆動装置の位置調整を、前記円盤状情報記録媒体のラジアル方向および／またはタンジェンシャル方向に前記対物レンズ駆動装置を移動することにより行うことが好ましい。かかる好ましい構成によれば、円盤状情報記録媒体からの反射光により所望の検出信号を得るための、光源と対物レンズと受光素子の相対位置調整を容易に行うことができる。
【００２９】
　上記の第１及び第２の構成において、前記対物レンズ駆動装置を移動することにより、さらに前記円盤状情報記録媒体と前記対物レンズとの相対角度を調整するための前記対物レンズ駆動装置のスキュー調整がされてなることが好ましい。かかる好ましい構成によれば、対物レンズ駆動装置を移動して光源と対物レンズと受光素子の相対位置調整を行う際に、円盤状情報記録媒体と対物レンズとの相対角度調整も同時に行うことができるので、円盤状情報記録媒体と対物レンズとの相対角度調整のために従来行っていた球面アオリによる調整が不要となる。この結果、構造が簡素化でき、装置をより一層小型化、薄型化することができる。また、対物レンズ駆動装置の平面調整及び回転調整を行うだけで、光源・受光素子と対物レンズ駆動装置と円盤状情報記録媒体との間の相対調整を一度に行うことができるので、調整工程が簡素化できる。
【００３０】
　また、上記の第１及び第２の構成において、前記対物レンズ駆動装置を移動することにより、さらに前記対物レンズの入射光軸方向の前記対物レンズ駆動装置の位置調整がされてなることが好ましい。かかる好ましい構成によれば、フォーカス誤差信号のオフセットを除去することができるので、より高精度かつ低電力の記録及び再生を行うことができる光学ヘッド及びディスク記録再生装置を提供することができる。
【００３１】
　また、上記の第２の構成において、前記ミラーを移動することによる前記相対位置調整が、前記ミラーの反射光軸の角度調整を含むことが好ましい。かかる好ましい構成によれば、対物レンズ駆動装置のラジアル方向およびタンジェンシャル方向の調整量を大幅に低減することができるので、より一層装置を小型化、薄型化することができる。
【００３２】
　さらに、上記の第１及び第２の構成において、前記対物レンズの略中心部を回転中心として、前記対物レンズに入射する光軸と略直交する平面内で前記対物レンズもしくは前記対物レンズ駆動装置の回転調整を行うことが好ましい。かかる好ましい構成によれば、光源が有する非点隔差および対物レンズが有する非点収差を対物レンズもしくは対物レンズ駆動装置の面内回転により低減することができるので、より一層光学ヘッドの記録再生能力が向上し、ディスク記録再生装置の高性能化が可能となる。
【００３３】
　以下、本発明を図面を用いて詳細に説明する。
【００３４】
　（実施の形態１）
　以下本発明の第１の実施の形態について、図面を参照しながら説明する。
【００３５】
　図１、図２、図３、図４および図５において、１はシリコン基板、２はシリコン基板１上に固定された半導体レーザ、３はシリコン基板１上に形成された多分割光検出器、４は樹脂パッケージ、５は樹脂で成形されたホログラム素子（回折格子）、６はビームスプリッタ６ａ、折り返しミラー６ｂ、偏光分離素子６ｃより構成された複合素子、９は反射ミラー、１０は対物レンズホルダー１１に固定された対物レンズ、１２は磁気光学効果を有する光磁気記録媒体、１３は対物レンズを光磁気記録媒体１２のフォーカスおよびラジアル方向に駆動する対物レンズ駆動装置、１４は対物レンズ駆動装置１３の構成要素となるベース、１６は光学台、１７は多分割光検出機３上に形成されたフォーカス誤差信号検出用の光スポット、１８は多分割光検出機３上に形成されたトラッキング誤差信号検出用の光スポット、１９は多分割光検出器３上に形成されるメインビーム（Ｐ偏光）、２０は多分割光検出器３上に形成されるメインビーム（Ｓ偏光）、２１はフォーカスエラー受光領域、２２および２３はトラッキングエラー受光領域、２４は情報信号受光領域、２５は減算器、２６は加算器、２７および２８はフォーカス誤差信号検出用の光スポットの焦点、２９は位置決め穴、３１は接着剤、３２はガイド軸である。
【００３６】
　以上のように構成された本発明の第１の実施の形態について、以下その動作を説明する。
【００３７】
　半導体レーザ２より発せられた光は、ホログラム素子５により異なる複数の光束に分離される。異なる複数の光束は複合素子６のビームスプリッタ６ａを透過し、反射ミラー９で反射され対物レンズホルダー１１に固定された対物レンズ１０により、光磁気記録媒体１２上に直径１ミクロン程度の光スポット３０として集光される。
【００３８】
　また複合素子６のビームスプリッタ６ａにより反射された光束はレーザモニタ用受光素子（図示せず）に入射し半導体レーザ２の駆動電流を制御する。
【００３９】
　光磁気記録媒体１２からの反射光は、逆の経路をたどり、複合素子６のビームスプリッタ６ａにより反射分離されて、折り返しミラー６ｂ、偏光分離素子６ｃに入射する。
【００４０】
　半導体レーザ２は、図４（Ａ）で紙面に平行な偏光方向となるよう設置されており、入射光は偏光分離素子６ｃにより、偏光方向を４５度回転させるとともに互いに直交する２つの偏光成分の光束に分離され、情報信号受光領域２４に入射する。
【００４１】
また情報記録媒体１２からの反射光のうちビームスプリッタ６ａを透過した光束は回折格子５により複数の光束に分離されフォーカス誤差信号受光領域２１とトラッキング誤差信号受光領域２２および２３へ集光する。
【００４２】
　フォーカスサーボはいわゆるＳＳＤ法で行い、トラッキングサーボはいわゆるプッシュプル法で行う。
【００４３】
　さらに、Ｐ偏光からなるメインビーム１９とＳ偏光からなるメインビーム２０の差を演算することにより、差動検出法による光磁気ディスク情報信号の検出が可能となる。さらに、それらの和をとることにより、プレピット信号の検出が可能となる。
【００４４】
反射ミラー９は光学台１６に固定される。また、集積ユニット７は光学台１６に嵌合固定される。この結果、多分割光検出器３のＺ’軸方向（光軸方向）の位置は、受光面が光スポットの焦点２７および２８の略中間に位置するように、光学台１６の寸法が規定される。
【００４５】
　本実施の形態において、光磁気記録媒体からの反射光により所望の検出信号を得るための半導体レーザ２と対物レンズ１０と多分割光検出器３の相対位置調整は以下のようにして行われる。
【００４６】
　外部治具のチャッキングピン（図示せず）によりベース１４の位置決め穴２９を保持し、対物レンズに入射する光軸と略直行する平面内で、対物レンズ駆動装置１３をＸ方向（ラジアル方向）およびＹ方向（タンジェンシャル方向）に移動して、トラッキング誤差信号受光領域２２および２３の出力が略均一となるように調整する。調整後、その状態のままベース１４を光学台１６に接着剤３１を用いて接着固定する。以上により、フォーカス誤差信号およびトラッキング誤差信号の調整が完了する。
【００４７】
この時、ベース１４を光学台１６に予め接着固定しておいて、対物レンズ駆動装置１３をベース１４に対してＸ方向およびＹ方向に調整後、ベース１４に固定しても同様の効果が得られることは言うまでもない。
【００４８】
　以上の、対物レンズ駆動装置を対物レンズに入射する光軸と略直行する平面内での調整する際に、同時に光磁気記録媒体１２と対物レンズとの相対角度を調整するために、対物レンズ駆動装置１３のスキュー調整を行うことができる。即ち、上記と同一治具を用いて、外部治具を回転させることにより、対物レンズ駆動装置１３を、ラジアル方向θＲ及びタンジェンシャル方向θＴにそれぞれ回転調整する。
【００４９】
　以上のように第１の実施の形態によれば、集積ユニット７を光学台１６に直接固定することによりホルダーを廃止して、対物レンズ駆動装置１３をラジアル方向（Ｘ方向）およびタンジェンシャル方向（Ｙ方向）に移動調整することにより、フォーカス誤差信号およびトラッキング誤差信号の調整を行うこととした。この結果、光学ヘッドの高さ方向の調整しろが不用となり、またホルダーの肉圧分だけ厚みを薄くすることができる。従って、光学ヘッド全高を大幅に低減することが可能となり、小型・薄型の光学ヘッドおよびディスク記録再生装置を実現することができる。
【００５０】
　更に、光磁気記録媒体１２と対物レンズとの相対角度を調整するための対物レンズ駆動装置１３のスキュー調整を併せて行うことにより、従来の球面アオリによる調整が不要となり、構造が簡素化でき、装置をより一層小型化、薄型化することができる。また、対物レンズ駆動装置の平面調整及び回転調整を同時に行うことで、光源・受光素子と対物レンズ駆動装置と円盤状情報記録媒体との間の相対調整が完了するので、調整工程が簡素化できる。
【００５１】
　（実施の形態２）
　つぎに第２の実施の形態について、図６を参照しながら説明する。
【００５２】
　本実施の形態が第１の実施の形態と相違する点は、ベース１４のＹ方向（タンジェンシャル方向）の調整を、反射ミラー９のＺ’方向の調整により実現することである。
【００５３】
この構成により、対物レンズ駆動装置１３およびベース１４のＹ方向（タンジェンシャル方向）への調整量を大幅に低減することが可能となり、より一層光学ヘッドの小型化が可能となる。
【００５４】
　（実施の形態３）
　つぎに第３の実施の形態について、図７を参照しながら説明する。
【００５５】
　本実施の形態が第１の実施の形態と相違する点は、ベース１４の調整を、Ｚ方向（入射光軸方向、高さ方向）にも実施するような構成とすることである。この構成により、フォーカス誤差信号のオフセットを除去することが可能となりより高精度かつ低電力な記録および再生を行うことが可能となる。
【００５６】
　（実施の形態４）
　つぎに第４の実施の形態について、図８を参照しながら説明する。
【００５７】
　本実施の形態が第１の実施の形態と相違する点は、ベース１４のＸ方向（ラジアル方向）およびＹ方向（タンジェンシャル方向）の調整を、反射ミラー９の反射面角度調整θＸ、θＹにより実現することである。このとき反射面角度調整の回転中心は半導体レーザ２の略発光点とする。
【００５８】
この構成により、対物レンズ駆動装置１３のラジアル方向およびタンジェンシャル方向への調整量を大幅に低減することが可能となり、より一層光学ヘッドの小型化が可能となる。
【００５９】
　（実施の形態５）
　つぎに第５の実施の形態について、図９を参照しながら説明する。
【００６０】
　本実施の形態が第１の実施例と相違する点は、対物レンズ１０または対物レンズ駆動装置１３またはベース１４を、対物レンズ１０の略中心部を回転中心として、対物レンズに入射する光軸と略直交する面内で回転調整を行う点である。
【００６１】
この構成により、半導体レーザ２が有する非点隔差および対物レンズ１０が有する非点収差を対物レンズ１０の面内回転により低減することが可能となり、より一層光学ヘッドの記録再生能力が向上しディスク記録再生装置の高性能化が可能となる。
【図面の簡単な説明】
【００６２】
【図１】本発明の第１の実施の形態に係るディスク記録再生装置の対物レンズ駆動装置の調整方法を示した分解斜視図である。
【図２】本発明の第１の実施の形態に係るディスク記録再生装置の組立状態の全体構成の概略を示した斜視図である。
【図３】本発明の第１の実施の形態に係るディスク記録再生装置の構成の概略を示した分解斜視図である。
【図４】本発明の第１の実施の形態に係るディスク記録再生装置の光路を示した概略図であり、（Ａ）は正面図、（Ｂ）は（Ａ）のＩ−Ｉ線での矢印方向から見た断面図である。
【図５】本発明の第１の実施の形態に係るディスク記録再生装置に使用される多分割光検出器と信号検出回路を示す概略図である。
【図６】本発明の第２の実施の形態に係るディスク記録再生装置の対物レンズ駆動装置及び反射ミラーの調整方法を示した分解斜視図である。
【図７】本発明の第３の実施の形態に係るディスク記録再生装置の対物レンズ駆動装置の調整方法を示した分解斜視図である。
【図８】本発明の第４の実施の形態に係るディスク記録再生装置の反射ミラーの回転調整の方法を示した概略図であり、（Ａ）は正面図、（Ｂ）は（Ａ）のII−II線での矢印方向から見た断面図である。
【図９】本発明の第５の実施の形態に係るディスク記録再生装置の対物レンズの回転調整の方法を示した分解斜視図である。
【図１０】従来のディスク記録再生装置の構成の概略と調整方法を示した分解斜視図である。
【図１１】従来のディスク記録再生装置の光路を示した概略図であり、（Ａ）は正面図、（Ｂ）は（Ａ）のIII−III線での矢印方向から見た断面図である。
【図１２】従来のディスク記録再生装置に使用される多分割光検出器と信号検出回路を示す概略図である。
【図１３】従来のディスク記録再生装置のスキュー調整の機構を示した概略断面図である。
【符号の説明】
【００６３】
１　シリコン基板
２　半導体レーザ
３　多分割光検出器
４　樹脂パッケージ
５　ホログラム素子
６　  複合素子
６ａ　ビームスプリッタ
６ｂ　折り返しミラー
６ｃ　偏光分離素子
７　集積ユニット
８　ホルダ
９　反射ミラー
１０　対物レンズ
１１　対物レンズホルダー
１２　光磁気記録媒体
１３　対物レンズ駆動装置
１４　ベース
１５　アオリネジ
１６　光学台
１７　光スポット
１８　光スポット
１９　メインビーム（Ｐ偏光）
２０　メインビーム（Ｓ偏光）
２１　フォーカス誤差信号受光領域
２２  トラッキング誤差信号受光領域
２３　トラッキング誤差信号受光領域
２４　情報信号受光領域
２５　減算器
２６　加算器
２７　光スポットの焦点
２８　光スポットの焦点
２９　位置決め穴
３０　光スポット
３１　接着剤
３２　ガイド軸
【図１】
2004047106.tif 000003
【図２】
2004047106.tif 000004
【図３】
2004047106.tif 000005
【図４】
2004047106.tif 000006
【図５】
2004047106.tif 000007
【図６】
2004047106.tif 000008
【図７】
2004047106.tif 000009
【図８】
2004047106.tif 000010
【図９】
2004047106.tif 000011
【図１０】
2004047106.tif 000012
【図１１】
2004047106.tif 000013
【図１２】
2004047106.tif 000014
【図１３】
2004047106.tif 000015